(57)【特許請求の範囲】
【請求項１】
コイン供給部から供給されるコインを縦向き姿勢で勾配に沿って移動案内する底壁部及び側壁部を備えたコイン移動経路に、コインの通過を検出する通過検出センサが設けられている計数装置であって、
前記コイン移動経路における前記通過検出センサよりも上流側部位に、コインを縦向き姿勢で螺旋勾配に沿って移動案内する螺旋底壁部を備えた螺旋移動経路部が形成され、前記螺旋移動経路部の終端部側には、螺旋半径方向で重合した状態で前記通過検出センサに向けて移動案内される複数枚のコインのうち、螺旋半径方向の最外側に位置するコイン以外の重合コインを経路外に排出する重合コイン排出手段が設けられている計数装置。
【請求項２】
前記コイン供給部のコイン供給口は、複数枚のコインが重合状態で通過可能な開口寸法に構成され、前記螺旋移動経路部の経路幅は、コインの複数枚の厚み寸法よりも大なる幅寸法に構成されている請求項１記載の計数装置。
【請求項３】
前記螺旋移動経路部の終端部と前記通過検出センサとの間に、コインの複数枚の厚み寸法よりも大なる経路幅に構成された直線状の中間移動経路部が形成され、前記中間移動経路部に前記重合コイン排出手段が設けられている請求項２記載の計数装置。
【請求項４】
前記螺旋移動経路部の螺旋底壁部と前記中間移動経路部の直線底壁部が、螺旋半径方向の外方側ほど低位となる傾斜姿勢に構成されている請求項３記載の計数装置。
【請求項５】
前記螺旋移動経路部の外方側の側壁部、及び、前記中間移動経路部の外方側の側壁部が、上方側ほど外方側に傾倒する傾斜姿勢に構成されている請求項３又は４記載の計数装置。
【請求項６】
前記螺旋移動経路部の外方側の側壁部のコイン摺接案内領域における上下中央側の中間壁部分が、それに連続する下側壁部分及び上側壁部分よりも外方側に配置形成され、前記下側壁部分及び前記上側壁部分がコインの摺接ガイド部に構成されている請求項１〜５のいずれか１項に記載の計数装置。
【請求項７】
前記重合コイン排出手段は、前記中間移動経路部の直線底壁部のうち、螺旋半径方向の最外側に位置するコインの移動経路を残す状態で、最外側に位置するコイン以外の重合コインを落下排出する排出口を形成して構成されている請求項３〜５のいずれか１項に記載の計数装置。
【発明の詳細な説明】
【技術分野】
【０００１】
コイン供給部から供給されるコイン（硬貨やメダル、トクーン等を含む）を縦向き姿勢で勾配に沿って移動案内する底壁部と当該底壁部の幅方向両側に配置される側壁部とを備えたコイン移動経路に、コインの通過を検出する通過検出センサが設けられている計数装置に関する。
【背景技術】
【０００２】
従来の計測装置では、コイン供給部のコイン供給口を一枚のコインが通過可能な大きさに形成し、コイン移動経路の途中には、コイン供給口から一枚ずつ投入されるコインのうち、規定外の大きさのコインを経路外に排出する規定外コイン排出機構を設け、この規定外コイン排出機構の下流側のコイン移動経路に通過検出センサを配置している（例えば、特許文献１、２参照）。
特許文献１の計測装置では、手で把持したコインをコイン供給口から一枚ずつ投入する手動投入式のコイン供給部に構成されている。
特許文献２の計測装置では、駆動回転式のコイン供給部に構成されている。この駆動回転式のコイン供給部は、複数枚のコインを収納可能なホッパーの底部に、一枚のコインが入り込み可能な円形状の複数の移送孔を備えた回転移送体と、この回転移送体を駆動回転させる電動モータ等の駆動機構と、回転移送体の移送孔に入り込んだコインを回転移送経路の特定位置で回転半径方向外方のコイン供給口に向かって送り出すコイン送り出し手段とを設けて構成されている。
【先行技術文献】
【特許文献】
【０００３】
【特許文献１】特開２００６−３３０８８８号公報
【特許文献２】特開平５−２５３３５５号公報
【発明の概要】
【発明が解決しようとする課題】
【０００４】
上述の特許文献１の計数装置では、コイン供給部のコイン供給口からコインを一枚づつ投入するため、複数枚のコインが経路幅方向で重合することがなく、通過検出センサでの検出精度を高めることができる。反面、コインの計数処理がコイン供給口からのコイン投入速度に支配されるため、コインの計数処理能率が低下していた。
また、特許文献２の計測装置では、回転移送体の移送孔に入り込んだコインを回転移送経路の移送案内面に沿って摺接状態で押圧移送するため、駆動能力の大きな駆動機構が必要で、しかも、回転移送体の回転支持構造や回転伝達構造等が加わるため、構造の複雑化や製造コストの高騰化を招来し易い。
【０００５】
この実情に鑑み、本発明の主たる課題は、構造の簡素化と製造コストの低廉化を図りながら多数のコインを能率良く正確に計数処理することのできる計数装置を提供する点にある。
【課題を解決するための手段】
【０００６】
本発明による第１の特徴構成は、コイン供給部から供給されるコインを縦向き姿勢で勾配に沿って移動案内する底壁部及び側壁部を備えたコイン移動経路に、コインの通過を検出する通過検出センサが設けられている計数装置であって、
前記コイン移動経路における前記通過検出センサよりも上流側部位に、コインを縦向き姿勢で螺旋勾配に沿って移動案内する螺旋底壁部を備えた螺旋移動経路部が形成され、前記螺旋移動経路部の終端部側には、螺旋半径方向で重合した状態で前記通過検出センサに向けて移動案内される複数枚のコインのうち、螺旋半径方向の最外側に位置するコイン以外の重合コインを経路外に排出する重合コイン排出手段が設けられている点にある。
【０００７】
上記構成によれば、コイン供給部から供給された複数枚のコインは、螺旋移動経路部の螺旋底壁部の螺旋勾配に沿って縦向き姿勢で転動又は滑動若しくは両方の現象で移動し、且つ、そのときの遠心力で螺旋底壁部の螺旋半径方向外方側の側壁部に押付けられた摺接状態で移行案内される。
コイン供給部から縦向き姿勢で供給された複数枚のコインが螺旋半径方向（経路幅方向）で重合していても、螺旋移動経路部の螺旋底壁部における内方側螺旋移動距離と外方側螺旋移動距離との差によって、内方側に位置するコインが外方側に位置するコインよりも次第に先行し、コイン同士の重なりを解消することができる。
また、螺旋移動経路部の終端部でコインの重なり状態が解消されていない場合でも、螺旋移動経路部の終端部側に設けられた重合コイン排出手段により、螺旋半径方向の最外側に位置するコイン以外の重合コインを経路外に排出することができる。これにより、コイン移動経路を移動する多数のコインを通過検出センサに対して常に一枚ずつ送込むことができる。
【０００８】
したがって、電動モータ等の駆動源を用いることなくコインを高速で移動させることができ、しかも、螺旋移動経路部での重合コインの重なり解消作用と重合コイン排出手段による重合コイン排出作用とによって、コイン移動経路を移動する多数のコインを通過検出センサに対して常に一枚ずつ送込むことができるので、構造の簡素化と製造コストの低廉化を図りながら多数のコインを能率良く正確に計数処理することができる。
【０００９】
本発明による第２の特徴構成は、前記コイン供給部のコイン供給口は、複数枚のコインが重合状態で通過可能な開口寸法に構成され、前記螺旋移動経路部の経路幅は、コインの複数枚の厚み寸法よりも大なる幅寸法に構成されている点にある。
【００１０】
上記構成によれば、上述した螺旋移動経路部での重なり解消作用を利用して、コイン供給部のコイン供給口及び螺旋移動経路部の経路幅を積極的に拡張することにより、多量のコインを能率良く計数処理することができる。
【００１１】
本発明による第３の特徴構成は、前記螺旋移動経路部の終端部と前記通過検出センサとの間に、コインの複数枚の厚み寸法よりも大なる経路幅に構成された直線状の中間移動経路部が形成され、前記中間移動経路部に前記重合コイン排出手段が設けられている点にある。
【００１２】
上記構成によれば、螺旋移動経路部の終端部に連続する中間移動経路部は、コインの複数枚の厚み寸法よりも大なる経路幅で直線状に構成されているため、中間移動経路部の外方側の側壁部に対するコインの押付けが軽減された状態にある。この中間移動経路部に重合コイン排出手段を配置することにより、螺旋移動経路部の終端部から送り出されてくる重合状態の複数枚のコインのうち、螺旋半径方向の最外側に位置するコイン以外の重合コインを経路外に確実に排出することができる。
【００１３】
本発明による第４の特徴構成は、前記螺旋移動経路部の螺旋底壁部と前記中間移動経路部の直線底壁部が、螺旋半径方向の外方側ほど低位となる傾斜姿勢に構成されている点にある。
【００１４】
上記構成によれば、螺旋移動経路部の螺旋底壁部の螺旋勾配に沿って縦向き姿勢で移動するコインの移動位置及び外方側の側壁部に対する摺接姿勢が安定し、それに続く中間移動経路部でのコインの移動位置及び外方側の側壁部に対する摺接姿勢が安定する。それ故に、螺旋移動経路部での重合コインの重なり解消作用の促進化と重合コイン排出手段による重合コイン排出作用の確実化とを図ることができる。
【００１５】
本発明による第５の特徴構成は、前記螺旋移動経路部の外方側の側壁部、及び、前記中間移動経路部の外方側の側壁部が、上方側ほど外方側に傾倒する傾斜姿勢に構成されている点にある。
【００１６】
上記構成によれば、螺旋移動経路部の螺旋底壁部の螺旋勾配に沿って縦向き姿勢で移動するコインの外方側の側壁部に対する摺接姿勢が安定し、それに続く中間移動経路部でのコインの外方側の側壁部に対する摺接姿勢が安定する。それ故に、螺旋移動経路部での重合コインの重なり解消作用の促進化と重合コイン排出手段による重合コイン排出作用の確実化とを一層図ることができる。
【００１７】
本発明による第６の特徴構成は、前記螺旋移動経路部の外方側の側壁部のコイン摺接案内領域における上下中央側の中間壁部分が、それに連続する下側壁部分及び上側壁部分よりも外方側に配置形成され、前記下側壁部分及び前記上側壁部分がコインの摺接ガイド部に構成されている点にある。
【００１８】
上記構成によれば、螺旋移動経路部の外方側の側壁部のコイン摺接案内領域における上下中央側の中間壁部分にはコインが摺接しないため、コインと外方側の側壁部との間での摩擦抵抗が少なくなり、コインを高速で移動させることができる。それに伴う遠心力の増加によって外方側の側壁部に対する摺接姿勢が一層安定化する。
【００１９】
本発明による第７の特徴構成は、前記重合コイン排出手段は、前記中間移動経路部の直線底壁部のうち、螺旋半径方向の最外側に位置するコインの移動経路を残す状態で、最外側に位置するコイン以外の重合コインを落下排出する排出口を形成して構成されている点にある。
【００２０】
上記構成によれば、螺旋移動経路部の終端部でコインの重なり状態が解消されていない場合でも、この中間移動経路部の底壁部に形成された排出口により、最外側に位置するコイン以外の重合コインを落下排出することができる。しかも、中間移動経路部の底壁部のうち、螺旋半径方向の最外側に位置するコインの移動経路を残す状態で排出口を形成するだけで済むので、構造の簡素化及び製造コストの低廉化を図りながら重合コイン排出作用の確実化を促進することができる。
【図面の簡単な説明】
【００２１】
【図１】計数装置の斜視図
【図２】計数装置の分解斜視図
【図３】計数装置の平面図
【図４】コイン供給部を取外した状態の計数装置の平面図
【図５】図３におけるＶ−Ｖ線でのコイン供給部及び重なり解消部の断面図
【図６】重なり解消部の終端開口部側の拡大側面図
【図７】図３におけるＶＩＩ−ＶＩＩ線での要部の拡大断面図
【図８】重なり解消部の要部の拡大水平断面図
【発明を実施するための形態】
【００２２】
〔第１実施形態〕
図１〜図３は、コイン（硬貨やメダル、トクーン等を含む）１を移動させながら、通過コイン１の枚数を計測して表示する計数装置を示す。この計数装置には、多数のコイン１を横向き姿勢で収納可能で、且つ、コイン１の複数枚を縦向き姿勢に変更しながら同時に供給可能なホッパー状のコイン供給部Ａと、当該コイン供給部Ａから供給されたコイン１を縦向き姿勢で勾配に沿って転動又は滑動若しくは両方の現象で移動案内する底壁部２２及び当該底壁部２２の幅方向両側に位置する側壁部２３，２４を備えたコイン移動経路Ｒと、コイン移動経路Ｒの終端部においてコイン１の通過を検出する通過検出センサＳと、通過検出センサＳの検出信号に基づいてコイン枚数を積算表示する計数演算表示部Ｃとが備えられている。
【００２３】
コイン移動経路Ｒにおける通過検出センサＳよりもコイン移動方向の上流側部位は、図４、図８に示すように、コイン供給部Ａから供給されたコイン１を螺旋勾配に沿って移動案内する螺旋底壁部２２Ａを備えた螺旋移動経路部Ｒ１と、この螺旋移動経路部Ｒ１の終端から送り出されてくるコイン１を直線状の勾配に沿って移動案内する直線底壁部２２Ｂを備えた中間移動経路部Ｒ２とから構成されている。そのうち、中間移動経路部Ｒ２の終端部は、通過検出センサＳが設置されている直線状の計測移動経路部Ｒ３に連続形成されている。
【００２４】
また、螺旋移動経路部Ｒ１の螺旋底壁部２２Ａの螺旋半径方向（経路幅方向）の外方側及び内方側の側縁には螺旋外側壁部２３Ａと螺旋内側壁部２４Ａが一体形成されている。
中間移動経路部Ｒ２の直線底壁部２２Ｂの経路幅方向の外方側及び内方側の側縁には直線外側壁部２３Ｂと直線内側壁部２４Ｂが一体形成されている。
計測移動経路部Ｒ３の直線底壁部２２Ｃの経路幅方向の外方側及び内方側の側縁には直線外側壁部２３Ｃと直線内側壁部２４Ｃが一体形成されている。
コイン移動経路Ｒの底壁部２２は、螺旋移動経路部Ｒ１の螺旋底壁部２２Ａと、中間移動経路部Ｒ２の直線底壁部２２Ｂと、計測移動経路部Ｒ３の直線底壁部２２Ｃとから構成されている。
コイン移動経路Ｒの外方側の側壁部２３は、螺旋移動経路部Ｒ１の螺旋外側壁部２３Ａと、中間移動経路部Ｒ２の直線外側壁部２３Ｂと、計測移動経路部Ｒ３の直線外側壁部２３Ｃとから構成されている。
コイン移動経路Ｒの内方側の側壁部２４は、螺旋移動経路部Ｒ１の螺旋内側壁部２４Ａと、中間移動経路部Ｒ２の直線内側壁部２４Ｂと、計測移動経路部Ｒ３の直線内側壁部２４Ｃとから構成されている。
【００２５】
そして、螺旋移動経路部Ｒ１は、図２、図４に示すように、略螺旋１周回分の長さに相当する経路長さに構成され、コイン供給部Ａのコイン供給口３３から縦向き姿勢で供給された複数枚のコイン１が螺旋半径方向（経路幅方向）で重合したとき、この重合状態にあるコイン１を螺旋方向に沿って移動させながら重なりを解消する重なり解消部Ｂに構成されている。
この重なり解消部Ｂの螺旋移動経路部Ｒ１の終端部に連続する中間移動経路部Ｒ２には、図６〜図８に示すように、螺旋移動経路部Ｒ１の終端部で重合状態が完全に解消されずに通過検出センサＳに向けて移動案内される複数枚のコイン１のうち、螺旋半径方向の最外側に位置する一枚のコイン１以外の重合コイン１を経路外に排出する重合コイン排出手段Ｄが設けられている。
また、図１、図２、図７に示すように、コイン移動経路Ｒの計測移動経路部Ｒ３の終端開口部から送り出されてくるコイン１を貯留する計測済みコイン貯留部４と、重合コイン排出手段Ｄで排出されたコイン１を貯留する未計測コイン貯留部５とが設けられている。
【００２６】
本実施形態の計測装置では、図１、図４に示すように、樹脂製の基台１１の左右方向の一端部に立設された樹脂製の円筒体１２の外周部に、円筒体１２の中心を螺旋中心とする状態で樹脂製の螺旋移動経路部Ｒ１が一体形成され、この螺旋移動経路部Ｒ１の終端部に連続する中間移動経路部Ｒ２及び計測移動経路部Ｒ３が、円筒体１２の接線方向に沿う状態で基台１１の後部側を通して左右方向の他端部側に一直線状に延出形成されている。
また、基台１１の左右方向の中央部には、計測済みコイン貯留部４を構成する第１コイン貯留ケース１３と未計測コイン貯留部５を構成する第２コイン貯留ケース１４とを脱着自在に保持する装着凹部１１Ａ，１１Ｂが形成されている。
さらに、基台１１の左右方向の他端部には、図１〜図４に示すように、計数演算表示部Ｃの回路基板１５を内装するケース部１１Ｃが形成され、基台１１の後部側には、図７に示すように、計数演算表示部Ｃの電源となる電池（図示せず）を装着する電池装着部１１Ｄが形成されている。
回路基板１５には、通過検出センサＳを構成するフォトセンサ１７の発光部１７ａと受光部１７ｂ、電源スイッチ１８、リセットスイッチ１９が電気接続され、さらに、７セグメントディスプレイで検出コイン数を三桁で積算表示する計数表示部２０が実装されている。
【００２７】
次に、コイン供給部Ａについて説明する。
コイン供給部Ａには、図１〜図３、図５に示すように、多数のコイン１を収納可能な収納空間３１を有する上方開口のホッパー状の樹脂製のコイン供給ケース３２が主要構成として備えられ、必要に応じてコイン供給ケース３２の開口を閉止する蓋体等が設けられる。
このコイン供給ケース３２は、円筒状の周壁部３２Ａと、当該周壁部３２Ａ内の上下中間部位に一体形成される底壁部３２Ｂと、当該底壁部３２Ｂの下面の中央部に一体形成される第１嵌合接続筒部３２Ｃとから構成されている。
コイン供給ケース３２の底壁部３２Ｂは、図１、図５に示すように、螺旋中心に相当する中心部位が最も低位となる部分球面状に湾曲形成され、この部分球面状の底壁部３２Ｂにおける半側部位には、当該底壁部３２Ｂの中心部位よりも低位位置においてコイン１をコイン移動経路Ｒの移動始端部に落下供給するコイン供給口３３と、このコイン供給口３３に対して収納空間３１内のコイン１を勾配に沿って横向き姿勢で滑降案内するコイン滑降供給通路３４とが形成されている。
【００２８】
図３に示すように、コイン滑降供給通路３４の通路幅Ｗ１及びコイン供給口３３のコイン滑降方向に対する直交方向の開口横幅Ｗ２は、コイン１の直径よりも少し大なる幅寸法で統一構成されている。そのため、コイン滑降供給通路３４において、コイン１は一列状態に整列される。
また、図２、図５に示すように、コイン滑降供給通路３４の幅方向両側の通路側面３２ａは、コイン供給口３３側ほど高く構成されているため、コイン滑降供給通路３４においては二枚のコイン１が横並びになることがなく、複数枚のコイン１が上下方向で重なっている状態でも常に一列状態で滑降案内される。
図５に示すように、コイン供給口３３は複数枚のコイン１が重合状態で通過可能な開口寸法に構成されている。具体的には、コイン供給口３３のコイン滑降方向の開口縦幅Ｗ３は、横向き姿勢の重合状態で一列に整列されて滑降案内されてきた複数枚のコイン１が縦向き姿勢に姿勢変更しながら通過可能な縦幅寸法に構成されている。当該実施形態においては、コイン供給口３３の開口縦幅Ｗ３は、コイン１が最大４枚の重なり状態で姿勢変更しながら通過可能な縦幅寸法に設定されている。
【００２９】
次に、重なり解消部Ｂについて説明する。
図１、図２に示すように、円筒体１２の外周面には、螺旋移動経路部Ｒ１の主要構成部材で、コイン供給部Ａから縦向き姿勢で供給されたコイン１の外周面を螺旋勾配に沿って転動又は滑動若しくは両方の現象で移動案内する螺旋底壁部２２Ａと、この螺旋底壁部２２Ａの外側縁（螺旋半径方向外方側の側縁）から上方に突出して、螺旋底壁部２２Ａに沿って移動する縦向き姿勢のコイン１を摺接状態で移行案内する螺旋外側壁部２３Ａとが一体形成されている。
螺旋移動経路部Ｒ１の螺旋内側壁部２４Ａの大部分は、図４、図５、図８に示すように、螺旋移動経路部Ｒ１の螺旋中心と同芯状態で螺旋底壁部２２Ａの内側縁（螺旋半径方向内方側の側縁）に沿って一体形成された円筒体１２の周壁部の一部をもって構成されている。そのため、螺旋移動経路部Ｒ１の螺旋内側壁部２４Ａは鉛直壁部に構成されている。これに対して、螺旋移動経路部Ｒ１の螺旋外側壁部２３Ａは、上方側ほど螺旋中心から螺旋半径方向外方側に離間する傾斜姿勢の傾斜外側壁部に構成されている。
また、図４に示すように、螺旋移動経路部Ｒ１のうち、コイン供給部Ａのコイン供給口３３に上下方向で対向する螺旋方向最上位（コイン移動始端部）の経路部分は、円筒体１２の周壁部の接線方向に沿って直線状に突出形成されているため、螺旋内側壁部２４Ａの螺旋方向最上位の延長内側壁部分２４Ｄ、及び螺旋外側壁部２３Ａの上流側部位も、円筒体１２の周壁部の接線方向に沿って直線状に突出形成されている。
この螺旋内側壁部２４Ａの延長内側壁部分２４Ｄの上流側先端と螺旋外側壁部２３Ａの上流側部の先端とを繋ぐ始端壁部２６、及び、これらと一体形成される螺旋底壁部２２Ａの上流側先端は、螺旋外側壁部２３Ａ側ほどコイン移動方向の下流側に位置する傾斜姿勢に構成されている。
【００３０】
螺旋移動経路部Ｒ１の螺旋底壁部２２Ａは、図５に示すように、螺旋外側壁部２３Ａ側ほど低位となる傾斜姿勢に構成されているとともに、図５、図８に示すように、螺旋底壁部２２Ａの螺旋半径方向での経路幅Ｗ４が、コイン１の複数枚の厚み寸法よりも大に構成されている。当該実施形態では、螺旋底壁部２２Ａの経路幅Ｗ４は、コイン三枚分の厚み寸法に相当する経路幅に構成されている。しかし、螺旋外側壁部２３Ａは螺旋半径方向外方側に傾斜するため、螺旋内側壁部２４Ａと螺旋外側壁部２３Ａとの対向面間隔が上方ほど広くなるため、実質的には、螺旋半径方向内方側に位置するコイン１が螺旋内側壁部２４Ａに沿って迫り上がる状態で最大５枚の重合状態のコイン１が入り込み可能に構成されている。
【００３１】
上述のように、コイン供給部Ａのコイン供給口３３から重なり解消部Ｂの螺旋移動経路部Ｒ１に縦向き姿勢で供給された複数枚のコイン１が螺旋半径方向（経路幅方向）で重合しても、螺旋移動経路部Ｒ１の螺旋底壁部２２Ａにおける内方側螺旋移動距離と外方側螺旋移動距離との差、及び、螺旋外側壁部２３Ａとコイン１との間での摩擦抵抗と重合状態にあるコイン１間での摩擦抵抗との差により、内方側に位置するコイン１が外方側に位置するコイン１よりも次第に先行し、コイン１同士の重なりを解消することができる。
それ故に、重合状態で供給された複数枚の縦向き姿勢のコイン１に対する重なり解消作用を利用して、コイン供給部Ａのコイン供給口３３及び螺旋移動経路部Ｒ１の螺旋底壁部２２Ａの経路幅Ｗ４を積極的に拡張することにより、多量のコイン１を能率良く計数処理することができる。
【００３２】
図５に示すように、螺旋移動経路部Ｒ１の傾斜姿勢の螺旋外側壁部２３Ａのうち、コイン摺接案内領域における上下中央側の中間壁部分２３ｂが、それの上下に連続する下側壁部分２３ａ及び上側壁部分２３ｃよりも螺旋移動経路部Ｒ１から離間する螺旋半径方向外方側に配置形成され、下側壁部分２３ａ及び上側壁部分２３ｃがコイン１の摺接ガイド部に構成されている。
そのため、螺旋移動経路部Ｒ１の螺旋底壁部２２Ａの螺旋勾配に沿って縦向き姿勢で移動するコイン１の螺旋外側壁部２３Ａに対する摺接姿勢が安定し、しかも、螺旋外側壁部２３Ａのコイン摺接案内領域における上下中央側の中間壁部分２３ｂにはコイン１が摺接しないため、コイン１と螺旋外側壁部２３Ａとの間での摩擦抵抗が少なくなり、コイン１を高速で移動させることができる。
【００３３】
また、中間移動経路部Ｒ２の直線底壁部２２Ｂ及び直線外側壁部２３Ｂと計測移動経路部Ｒ３の直線底壁部２２Ｃ及び直線外側壁部２３Ｃは、図５〜図８に示すように、螺旋移動経路部Ｒ１の螺旋底壁部２２Ａ及び螺旋外側壁部２３Ａを直線状に延長して構成しただけであるため、上述した螺旋移動経路部Ｒ１の螺旋底壁部２２Ａ及び螺旋外側壁部２３Ａの特徴構成をそのまま備えている。
つまり、中間移動経路部Ｒ２の直線底壁部２２Ｂ及び計測移動経路部Ｒ３の直線底壁部２２Ｃは、図６、図７に示すように、直線外側壁部２３Ｂ，２３Ｃ側ほど低位となる傾斜姿勢に構成されているとともに、中間移動経路部Ｒ２の直線底壁部２２Ｂの経路幅及び計測移動経路部Ｒ３の直線底壁部２２Ｃの経路幅は、図８に示すように、螺旋底壁部２２Ａの螺旋半径方向での経路幅Ｗ４と同一の経路幅に構成されている。
中間移動経路部Ｒ２の直線外側壁部２３Ｂ及び計測移動経路部Ｒ３の直線外側壁部２３Ｃは、図６、図７に示すように、螺旋移動経路部Ｒ１の螺旋外側壁部２３Ａと同一の傾斜角度で上方側ほど経路幅方向外方側（螺旋半径方向外方側）に位置する傾斜姿勢の傾斜壁部に構成されている。
また、図５〜図７に示すように、各直線外側壁部２３Ｂ、２３Ｃのうち、コイン摺接案内領域における上下中央側の中間壁部分２３ｂが、それの上下に連続する下側壁部分２３ａ及び上側壁部分２３ｃよりも螺旋移動経路部Ｒ１から離間する螺旋半径方向外方側に配置形成され、下側壁部分２３ａ及び上側壁部分２３ｃがコイン１の摺接ガイド部に構成されている。
さらに、図５〜図８に示すように、中間移動経路部Ｒ２の直線底壁部２２Ｂの経路幅方向内側縁（螺旋半径方向内方側縁）及び計測移動経路部Ｒ３の直線底壁部２２Ｃの経路幅方向内側縁には、螺旋移動経路部Ｒ１の螺旋内側壁部２４Ａに連続する鉛直姿勢の直線内側壁部２４Ｂ，２４Ｃが一体形成されている。
【００３４】
重合コイン排出手段Ｄは、図５〜図８に示すように、中間移動経路部Ｒ２の直線底壁部２２Ｂのうち、螺旋半径方向の最外側（経路幅方向の最外側）に位置するコイン１の移動経路２２ｂを残す状態で、最外側に位置するコイン１以外の重合コイン１を落下排出する排出口２５を形成して構成されている。
この排出口２５のコイン移動方向の開口長さは、コイン１の直径よりも十分大きな矩形状に構成され、排出口２５の内側縁は、図７に示すように、直線底壁部２２Ｂと直線内側壁部２４Ｂの下端との境界位置又はその境界位置よりも少し上方に偏倚した直線内側壁部２４Ｂの下端側位置に設定され、排出口２５の開口幅は略コイン二枚分の厚み寸法に相当する開口幅に構成されている。
中間移動経路部Ｒ２の直線底壁部２２Ｂに残された移動経路２２ｂの経路幅は、図７、図８に示すように、コイン一枚分の厚み寸法又はそれよりも僅かに小なる寸法の経路幅に構成されている。
【００３５】
そして、重なり解消部Ｂの螺旋移動経路部Ｒ１は、略螺旋１周回分の長さに相当する経路長さに構成されているので、コイン供給部Ａのコイン供給口３３から螺旋移動経路部Ｒ１の移動始端部に縦向き姿勢で供給された複数枚のコイン１が螺旋半径方向（経路幅方向）で重合しても、通常は、螺旋移動経路部Ｒ１の螺旋底壁部２２Ａにおける内方側螺旋移動距離と外方側螺旋移動距離との差、及び、螺旋外側壁部２３Ａとコイン１との間での摩擦抵抗と重合状態にあるコイン１間での摩擦抵抗との差により、内方側に位置するコイン１が外方側に位置するコイン１よりも次第に先行し、コイン１同士の重なりを良好に解消することができる。
しかし、重なり解消部Ｂの螺旋移動経路部Ｒ１でのコイン１の移動状況によっては、螺旋移動経路部Ｒ１の終端部でもコイン１同士の重なりが解消されていない可能性も考えられる。この場合でも、螺旋移動経路部Ｒ１の終端部に連続する中間移動経路部Ｒ２は、螺旋移動経路部Ｒ１の接線方向に沿った直線状に形成されているため、中間移動経路部Ｒ２の直線外側壁部２３Ｂに対するコイン１の押付けが軽減された状態にある。しかも、中間移動経路部Ｒ２の直線底壁部２２Ｂ及び直線外側壁部２３Ｂが上述の如く傾斜姿勢に構成されているので、螺旋移動経路部Ｒ１で重合状態が完全に解消されずに通過検出センサＳに向けて移動案内されてくる複数枚のコイン１のうち、螺旋半径方向の最外側（経路幅方向の最外側）に位置する一枚のコイン１は、中間移動経路部Ｒ２の直線底壁部２２Ｂに残された移動経路２２ｂ上を移動して通過検出センサＳに確実に送られる。他方、螺旋半径方向の最外側（経路幅方向の最外側）に位置する一枚のコイン１以外の重合コイン１は、中間移動経路部Ｒ２の直線底壁部２２Ｂに形成された排出口２５で経路外の下方に落下排出される。この排出口２５から落下排出されたコイン１は、基台１１の後部側に形成されている傾斜姿勢の第２シュート部１１Ｆを経由して未計測コイン貯留部５を構成する第２コイン貯留ケース１４内に貯留される。
【００３６】
フォトセンサ１７の発光部１７ａと受光部１７ｂとの間隔は、コイン一枚分の厚み寸法よりも大で、且つ、コイン二枚分の厚み寸法よりも小なる間隔に構成されている。このフォトセンサ１７が設置されている計測移動経路部Ｒ３の終端開口部から放出されたコイン１は、基台１１の後部側に形成されている傾斜姿勢の第１シュート部１１Ｅを経由して計測済みコイン貯留部４を構成する第１コイン貯留ケース１３内に貯留される。
【００３７】
〔その他の実施形態〕
（１）上述の第１実施形態では、螺旋移動経路部Ｒ１の経路長さを、コイン１同士の重なりを余裕を持って確実、スムーズに解消することのできる略螺旋１周回分の長さに相当する経路長さに構成した。しかし、この螺旋移動経路部Ｒ１の経路長さが略螺旋半周回分以上の長さであれば、螺旋移動経路部Ｒ１の螺旋底壁部２２Ａにおける内方側螺旋移動距離と外方側螺旋移動距離との差、及び、螺旋外側壁部２３Ａとコイン１との間での摩擦抵抗と重合状態にあるコイン１間での摩擦抵抗との差により、コイン１同士の重なりを解消又は重なりを少なくすることができる。
【００３８】
（２）上述の第１実施形態では、ホッパー状のコイン供給部Ａのコイン供給口３３を閉ループ状に形成して、このコイン供給口３３を、複数枚のコイン１が重合状態で通過可能な開口寸法に構成したが、この構成に限定されるものではない。例えば、コイン供給部Ａに、複数枚のコイン１を重合状態で滑降供給可能なシュート部を設けて、このシュート部のコイン供給口３３を上方開放のコの字状に構成してもよい。さらに、コイン供給部Ａを、コイン１を縦向き姿勢の一列状態で連続搬送可能なコイン搬送体を複数並設して構成し、複数のコイン搬送体のコイン搬出口をもって、螺旋移動経路部Ｒ１の移動始端部に落下供給するコイン供給口３３を構成してもよい。
【００３９】
（３）上述の第１実施形態では、螺旋移動経路部Ｒ１の終端部と通過検出センサＳとの間に、コイン１の複数枚の厚み寸法よりも大なる経路幅に構成された直線状の中間移動経路部Ｒ２を形成し、この中間移動経路部Ｒ２に重合コイン排出手段Ｄを設けたが、この構成に限定されるものではない。例えば、螺旋移動経路部Ｒ１の終端部に重合コイン排出手段Ｄを設け、この重合コイン排出手段Ｄの下流側部位に通過検出センサＳを配置してもよい。
【００４０】
（４）上述の第１実施形態では、螺旋移動経路部Ｒ１の螺旋底壁部２２Ａを、螺旋外側壁部２３Ａ側ほど低位となる傾斜姿勢に構成したが、この螺旋底壁部２２Ａを水平又は略水平姿勢に構成してもよい。
【００４１】
（５）上述の第１実施形態では、螺旋移動経路部Ｒ１の螺旋外側壁部２３Ａを、上方側ほど螺旋中心から螺旋半径方向外方側に離間する傾斜姿勢に構成したが、この螺旋外側壁部２３Ａを鉛直又は略鉛直姿勢に構成してもよい。
【００４２】
（６）上述の第１実施形態では、通過検出センサＳをフォトセンサ１７から構成したが、この構成に限定されるものではない。例えば、通過検出センサＳを、通過するコイン１との接触によって変位する可動変位部材を備えたメカセンサから構成してもよい。
【００４３】
（７）上述の第１実施形態では、重合コイン排出手段Ｄを、中間移動経路部Ｒ２の直線底壁部２２Ｂに、螺旋半径方向の最外側に位置するコイン１の移動経路２２ｂを残す状態で、最外側に位置するコイン１以外の重合コイン１を落下排出する排出口２５を形成して構成したが、この構成に限定されるものではない。例えば、重合コイン排出手段Ｄを、螺旋移動経路部Ｒ１の終端部で重合状態が完全に解消されずに通過検出センサＳに向けて移動案内されてくる複数枚のコイン１のうち、最外側に位置するコイン１以外の内方側の重合コイン１が移動する移動経路に突出して当該内方側の重合コイン１を経路外に排出する重合コイン排出部材から構成してもよい。
【符号の説明】
【００４４】
１        コイン
２２      底壁部
２２Ａ    螺旋底壁部
２２Ｂ    直線底壁部
２２ｂ    移動経路
２３      外方側の側壁部
２３Ａ    螺旋外側壁部
２３Ｂ    直線外側壁部
２３ａ    下側壁部分
２３ｂ    中間壁部分
２３ｃ    上側壁部分
２４      内方側の側壁部
２４Ａ    螺旋内側壁部
２４Ｂ    螺旋内側壁部
Ａ        コイン供給部
Ｄ        重合コイン排出手段
Ｒ        コイン移動経路
Ｒ１      螺旋移動経路部
Ｒ２      中間移動経路部
Ｓ        通過検出センサ
【要約】
【課題】構造の簡素化と製造コストの低廉化を図りながら多数のコインを能率良く正確に計数処理する。
【解決手段】コイン供給部Ａから供給されるコイン１を縦向き姿勢で勾配に沿って移動案内する底壁部２２及び側壁部２３，２４とを備えたコイン移動経路Ｒに、コイン１の通過を検出する通過検出センサＳが設けられ、コイン移動経路Ｒにおける通過検出センサＳよりも上流側部位に、コインを縦向き姿勢で螺旋勾配に沿って移動案内する螺旋底壁部２２Ａを備えた螺旋移動経路部Ｒ１が形成され、螺旋移動経路部Ｒ１の終端部側には、螺旋半径方向で重合した状態で通過検出センサＳに向けて移動案内される複数枚のコインのうち、螺旋半径方向の最外側に位置するコイン以外の重合コインを経路外に排出する重合コイン排出手段Ｄが設けられている。
【選択図】図５【図１】
0006053975.tif 000002
【図２】
0006053975.tif 000003
【図３】
0006053975.tif 000004
【図４】
0006053975.tif 000005
【図５】
0006053975.tif 000006
【図６】
0006053975.tif 000007
【図７】
0006053975.tif 000008
【図８】
0006053975.tif 000009